(57)【特許請求の範囲】
【請求項１】
記録情報を光磁気記録媒体に記録する光磁気記録装置であって、光磁気記録媒体に磁界を発生させるための磁界発生コイルと、該磁界発生コイルに電流を供給する電源と、記録情報に基づいて前記電源からの第１及び第２の電流通路を交互に形成することにより前記磁界発生コイルをこれらの電流通路を介して正方向および負方向に電流を駆動する第１ないし第４のスイッチ手段と、前記磁界発生コイルによって生じる、電流の振幅が小さくなる電流振幅の過渡応答を補正するために前記第１および第２の電流通路に設けた補正手段と、を有しており、
上記第１の電流通路が、
情報信号によって第１のスイッチ手段と第２のスイッチ手段がオンされると、電源から、この電流通路に沿って電流が第１のスイッチ手段を通して磁界発生コイルに正方向の電流となって入り、磁界発生コイルを出て第２のスイッチ手段を通って流れるような通路であり、
上記第２の電流通路が、
情報信号を反転した信号によって第３のスイッチ手段と第４のスイッチ手段がオンされると、電源から、この電流通路に沿って電流が第３のスイッチ手段を通して磁界発生コイルに負方向の電流通路となって入り、磁界発生コイルを出て第４のスイッチ手段を通って流れるような通路であることを特徴とする光磁気記録装置。
【請求項２】
前記補正手段は前記磁界発生コイルによって生じる正方向の電流振幅の過渡応答を補正するために前記第１の電流通路に設けた第１の補正手段と、前記磁界発生コイルによって生じる負方向の電流振幅の過渡応答を補正するために前記第２の電流通路に設けた第２の補正手段からなることを特徴とする請求項１記載の光磁気記録装置。
【請求項３】
前記第１の電流通路は前記第１の補正手段に負方向の電流は流れず正方向の電流のみ流れる電流通路であって、前記第２の電流通路は前記第２の補正手段に正方向の電流は流れず負方向の電流のみ流れる電流通路であることを特徴とする請求項２記載の光磁気記録装置。
【請求項４】
前記第１の補正手段と、前記第２の補正手段が共に同一の周波数特性を有している補正手段であることを特徴とする請求項２記載の光磁気記録装置。
【請求項５】
前記第１の補正手段と、前記第２の補正手段が共にハイパスフィルターであり、ハイパスフィルターの時定数が、過渡応答を実質上打ち消すことができる程度に過渡応答時間に近い値であることを特徴とする請求項２記載の光磁気記録装置。
【請求項６】
前記ハイパスフィルターは少なくとも一つの抵抗と一つのコンデンサを並列に接続したことを特徴とする請求項５記載の光磁気記録装置。
【請求項７】
前記補正手段は前記磁界発生コイルによって生じる正方向および負方向の電流振幅の過渡応答を補正するために前記第１の電流通路と前記第２の電流通路が重複する通路上に設けたことを特徴とする請求項１記載の光磁気記録装置。
【請求項８】
前記補正手段は少なくとも一つの抵抗と一つのコンデンサを並列に接続し、この抵抗とコンデンサとで形成されるハイパスフィルターの時定数が、過渡応答を実質上打ち消すことができる程度に過渡応答時間に近い値であることを特徴とする請求項７記載の光磁気記録装置。
【発明の詳細な説明】
【０００１】
【産業上の利用分野】
本発明は情報信号により磁界を変調して光磁気記録媒体に情報を記録するいわゆる磁界変調方式の光磁気記録装置に関する。
【０００２】
【従来の技術】
光磁気記録媒体に磁界を発生させる記録装置の第１の従来例として、特開平１−１３０３０２に開示された装置があった。図９はこの装置を説明する図である。情報信号ｃｃをスイッチ手段１４ａとスイッチ手段１４ｄとインバータ１４ｅに入力し、情報信号を反転した信号ｄｄをスイッチ手段１４ｃとスイッチ手段１４ｂに入力する。まず情報信号ｃｃによってスイッチ手段１４ａとスイッチ手段１４ｄがオンされると、電源１５からは実線で示す第１の電流通路に沿って電流ａａがスイッチ手段１４ａを通して磁界発生コイル１３とこれに並列に配置したコンデンサ１１を駆動し、スイッチ手段１４ｄを通って流れていた。逆にスイッチ手段１４ｃとスイッチ手段１４ｂがオンされると、電源１５からは破線で示す第２の電流通路に沿って電流ｂｂがスイッチ手段１４ｂを通して磁界発生コイル１３とこれに並列に配置したコンデンサ１１を駆動し、スイッチ手段１４ｃを通って流れていた。
【０００３】
上記従来例は磁界発生コイル１３とコンデンサ１１を並列に配置することにより共振現象を発生させ、電流ａａと電流ｂｂの立ち上がりを速くしていた。また、磁界発生コイル１３とコンデンサ（図示せず）を直列に配置して回路構成上の直流電流を遮断していた。
【０００４】
また光磁気記録媒体に磁界を発生させる記録装置の第２の従来例として、特開平４−３７２７０１開示された装置があった。この装置は、磁界発生コイル１３と直列に補助コイルを配置して補助コイルの充電電流によって、電流の立ち上がりを速くしていた。また、直流成分を含んだ変調方式による情報信号が補助コイルに流れると、駆動電流が上下にふらつくため、補助コイルの負荷を一定に保つように情報信号によって負荷の切り替えを行う手段を電流通路に配置していた。
【０００５】
【発明が解決しようとする課題】
ところが上記第１の従来例では磁界発生コイルによって発生する過渡応答により、電流の反転時間の間隔が短いほど及び磁界発生コイルのインダクタンスが大きいほど電流の振幅が小さくなるという問題点を有していた。図１０及び図１１は、説明のためＥＦＭ変調におけるの実際の駆動電流波形を、さまざまなデータパターンについてディジタルオシロスコープ上で重ねて示した図である。図１０において、図９における磁界発生コイル１３とコンデンサ１１の共振により、電流の立ち上がりは速くなったが、立ち上がった後の振幅は電流の反転間隔が短いほど小さくなり、電流振幅が不安定となっていた。図１１はデータ転送レートを２倍に上げたときの波形である。さらに反転間隔が短くなったため、もはやデータ記録に適さないレベルまで電流振幅は悪化した。つまり、データ転送レートを上げる場合に記録マークの大きさが不安定となり再生エラーガ発生するという大きな問題点となっていた。
【０００６】
また、この過渡応答は磁界発生コイルによって生じるため、インダクタンスが大きければ大きいほど電流振幅は悪化した。これは、記録データの信頼性を高めるために、インダクタンスを大きくして発生磁界強度を増加させる場合の大きな問題点となっていた。
【０００７】
上記第２の従来例では負荷の切り替え手段を設け、情報信号にしたがって負荷を切り替え、電流の正方向でも負方向でも絶えず同一の電流を流すようにしていたが、これは消費電力を２倍に増大させていた。また、情報信号にしたがって負荷を切り替えており、反転時間毎に階段上に特性を変化させるだけであり、反転時間よりも長くしかも連続的に変化する過渡応答を軽減することは不可能であった。
【０００８】
【課題を解決するための手段】
上記課題を解決するために請求項１記載の光磁気記録装置は、記録情報を光磁気記録媒体に記録する光磁気記録装置であって、光磁気記録媒体に磁界を発生させるための磁界発生コイルと、該磁界発生コイルに電流を供給する電源と、記録情報に基づいて前記電源からの第１及び第２の電流通路を交互に形成することにより前記磁界発生コイルをこれらの電流通路を介して正方向および負方向に電流を駆動するスイッチ手段と、前記磁界発生コイルによって生じる、電流の振幅が小さくなる電流振幅の過渡応答を補正するために前記第１および第２の電流通路に設けた補正手段と、を有しており、上記第１の電流通路が、情報信号によって第１のスイッチ手段と第２のスイッチ手段がオンされると、電源から、この電流通路に沿って電流が第１のスイッチ手段を通して磁界発生コイルに正方向の電流となって入り、磁界発生コイルを出て第２のスイッチ手段を通って流れるような通路であり、上記第２の電流通路が、情報信号を反転した信号によって第３のスイッチ手段と第４のスイッチ手段がオンされると、電源から、この電流通路に沿って電流が第３のスイッチ手段を通して磁界発生コイルに負方向の電流通路となって入り、磁界発生コイルを出て第４のスイッチ手段を通って流れるような通路であることを特徴とする。
【０００９】
請求項２記載の光磁気記録装置は、前記補正手段は前記磁界発生コイルによって生じる正方向の電流振幅の過渡応答を補正するために前記第１の電流通路に設けた第１の補正手段と、前記磁界発生コイルによって生じる負方向の電流振幅の過渡応答を補正するために前記第２の電流通路に設けた第２の補正手段からなることを特徴とする。
【００１０】
請求項３記載の光磁気記録装置は、前記第１の電流通路は前記第１の補正手段に負方向の電流は流れず正方向の電流のみ流れる電流通路であって、前記第２の電流通路は前記第２の補正手段に正方向の電流は流れず負方向の電流のみ流れる電流通路であることを特徴とする。
【００１１】
請求項４記載の光磁気記録装置は、前記第１の補正手段と、前記第２の補正手段が共に同一の周波数特性を有している補正手段であることを特徴とする。
【００１２】
請求項５記載の光磁気記録装置は、前記第１の補正手段と、前記第２の補正手段が共にハイパスフィルターであり、ハイパスフィルターの時定数が、過渡応答を実質上打ち消すことができる程度に過渡応答時間に近い値であることを特徴とする。
【００１３】
請求項６記載の光磁気記録装置は、前記ハイパスフィルターは少なくとも一つの抵抗と一つのコンデンサを並列に接続したことを特徴とする。
【００１４】
請求項７記載の光磁気記録装置は、前記補正手段は前記磁界発生コイルによって生じる正方向および負方向の電流振幅の過渡応答を補正するために前記第１の電流通路と前記第２の電流通路が重複する通路上に設けたことを特徴とする光磁気記録装置。
【００１５】
請求項８記載の光磁気記録装置は、前記補正手段は少なくとも一つの抵抗と一つのコンデンサを並列に接続し、この抵抗とコンデンサとで形成されるハイパスフィルターの時定数が、過渡応答を実質上打ち消すことができる程度に過渡応答時間に近い値であることを特徴とする。
【００１６】
【作用】
請求項１によれば、磁界発生コイルによって生じる正方向の電流振幅の過渡応答と負方向の電流振幅の過渡応答を補正手段で補正するため、データ転送レートを高めるために電流の反転時間が短くなっても、過渡応答を低減でき、電流振幅を一定に保つことが可能となる。さらに磁界発生コイルのインダクタンスを大きくする場合でも、過渡応答を低減でき電流の振幅を一定に保つことができる。したがって、記録マークの大きさをそろえることができるため、高速転送を行うことが可能となり、またインダクタンスを大きくできるため発生磁界を大きくでき、記録データを正確に記録することが可能である。
【００１７】
請求項２によれば、磁界発生コイルによって生じる正方向の電流振幅の過渡応答を第１の補正手段によって補正し、前記磁界発生コイルによって生じる負方向の電流振幅の過渡応答を第２の補正手段で補正するため、データ転送レートを高めるために電流の反転時間が短くなっても、過渡応答を低減でき電流振幅を一定に保つことが可能となる。さらに磁界発生コイルのインダクタンスを大きくする場合でも、過渡応答を低減でき電流の振幅を一定に保つことができる。したがって、記録マークの大きさをそろえることができるため、高速転送を行うことが可能となり、またインダクタンスを大きくできるため発生磁界を大きくでき、記録データを正確に記録することが可能である。
【００１８】
請求項３によれば、磁界発生コイルとの共振が生じないため、電流の立ち上がりに支障を与えることなく過渡応答を低減することが可能である。また、共振を利用して立ち上がり速くする従来の構成と独立に設けることもでき、それぞれの効果を個別に、あるいは同時に利用することが可能となる。
【００１９】
請求項４によれば、第１の補正手段と第２の補正手段を同一の特性にできるため、回路設計を簡単にすることが可能となる。
【００２０】
請求項５によれば第１の補正手段と第２の補正手段を共に簡単なハイパスフィルターにできるため、回路構成を簡単にすることが可能となる。
【００２１】
請求項６によれば第１の補正手段と第２の補正手段を共に抵抗とコンデンサで構成した最も簡単なハイパスフィルターにできるため、回路構成を最も簡単にすることが可能となる。
【００２２】
請求項７によれば正方向の電流振幅の過渡応答を補正する第１の補正手段と、負方向の電流振幅の過渡応答を補正する第２の補正手段を一つの補正手段で兼用できるため、回路構成を簡単にすることが可能となる。
【００２３】
請求項８によれば補正手段を抵抗とコンデンサで構成した最も簡単なハイパスフィルターにできるため、回路構成を最も簡単にすることが可能となる。
【００２４】
【実施例】
本発明の第１の実施例について以下に説明する。図１は、本発明の実施例１を示した図である。情報信号ｃをスイッチ手段４ａとスイッチ手段４ｄとインバータ４ｅに入力し、情報信号ｃを反転した信号ｄをスイッチ手段４ｃとスイッチ手段４ｂに入力する。これらスイッチ手段４ａ、４ｂ、４ｃ、４ｄとインバータ４ｅで構成されたスイッチ手段は、駆動電流を磁界発生コイル３の正方向（図面向かって右方向）または負方向（図面向かって左方向）に切り替えるスイッチ手段である。
【００２５】
まず情報信号ｃによってスイッチ手段４ａとスイッチ手段４ｄがオンされると、電源５からは実線で示す第１の電流通路に沿って電流ａが補正手段１とスイッチ手段４ａを通して磁界発生コイル３に正方向の電流となり、スイッチ手段４ｄを通って流れる。補正手段１は前記第１の電流通路上に設けており、磁界発生コイル３によって生じる正方向の電流振幅の過渡応答を補正できる。尚、このときスイッチ手段４ｂとスイッチ手段４ｃはインバータ４ｅによってオフされており、第２の電流通路は遮断されている。
【００２６】
逆に情報信号ｃを反転した信号ｄによってスイッチ手段４ｃとスイッチ手段４ｂがオンされると、電源５からは破線で示す第２の電流通路に沿って電流ｂが補正手段２とスイッチ手段４ｂを通して磁界発生コイル３に負方向の電流通路となり、スイッチ手段４ｃを通って流れる。補正手段２は前記第２の電流通路上に設けており、磁界発生コイル３によって生じる負方向の電流振幅の過渡応答を補正できる。尚、このときスイッチ手段４ａとスイッチ手段４ｄはインバータ４ｅによってオフされており、第１の電流通路は遮断されている。
【００２７】
図２は図１を詳細に説明する図であり、具体的な回路例を示す図である。情報信号ｃをドライバ６ａを介してスイッチ手段４ａと、ドライバ６ｄを介してスイッチ手段４ｄと、インバータ４ｅに入力し、情報信号ｃを反転した信号ｄをドライバ６ｂを介してスイッチ手段４ｂと、ドライバ６ｃを介してスイッチ手段４ｃに入力する。これらスイッチ手段４ａ、４ｂ、４ｃ、４ｄと、ドライバ６ａ、６ｂ、６ｃ、６ｄとインバータ４ｅとで構成されたスイッチ手段は、駆動電流を正方向または負方向に切り替えるスイッチ手段である。スイッチ手段４ａはＦＥＴ（電界効果トランジスタ）Ｑ１で代用し、スイッチ手段４ｂは同様にＱ２で代用し、スイッチ手段４ｃは同様にＱ３で代用し、スイッチ手段４ｄは同様にＱ４で代用する。
【００２８】
まず情報信号ｃによってスイッチ手段４ａ（ＦＥＴＱ１）とスイッチ手段４ｄ（ＦＥＴＱ４）がオンされると、電源５から第１の電流通路に沿って正方向の電流が補正手段１とスイッチ手段４ａ、ダイオードｄ１を通して磁界発生コイル３の正方向の電流通路となり、スイッチ手段４ｄを通ってグランドへ流れる。補正手段１は前記第１の電流通路上に設けており、抵抗Ｒ１とコンデンサＣ１を並列に接続した構成であるため、磁界発生コイル３によって生じる正方向の電流振幅の過渡応答を補正できる。この過渡応答時間τlは電流の反転時間よりも十分に長いため、従来は電流振幅の大きさが不安定となっていたが、抵抗Ｒ１とコンデンサＣ１によるハイパスフィルターの時定数τRC1をこの過渡応答時間τlに近い値に設定すればよい。したがって時定数τRC1は電流の反転時間よりも長く設定する。さらに過渡応答を完全に打ち消すには、時定数τRC1を過渡応答時間τlに等しくなるように、抵抗Ｒ１とコンデンサＣ１の値を決定すればよいが、この場合は過渡応答を引き起こす回路全体の伝達関数が抵抗Ｒ１とコンデンサＣ１で構成されたハイパスフィルターの伝達関数の逆数に等しい場合に限られる。しかし磁界発生コイル３や直列に接続されたＦＥＴやダイオードなどの交流特性によって実際このような理想的な場合はほとんどない。したがって、過渡応答を実質上打ち消す値に設定すればよい。尚、このときスイッチ手段４ｂとスイッチ手段４ｃはインバータ４ｅによってオフされており、第２の電流通路は遮断されており、第２の補正手段２への電流通路は遮断されている。
【００２９】
逆に情報信号を反転した信号ｄによってスイッチ手段４ｃ（ＦＥＴＱ３）とスイッチ手段４ｂ（ＦＥＴＱ２）がオンされると、電源５から第２の電流通路に沿って負方向の電流が補正手段２とスイッチ手段４ｂ、ダイオードｄ２を通して磁界発生コイル３の負方向の電流となり、スイッチ手段４ｃを通ってグランドへ流れる。補正手段２は前記第２の電流通路上に設けており、抵抗Ｒ２とコンデンサＣ２を並列に接続した構成であるため、磁界発生コイル３によって生じる負方向の電流振幅の過渡応答を補正できる。同様に抵抗Ｒ２とコンデンサＣ２によるハイパスフィルターの時定数τRC2は、過渡応答時間τlに近い値に設定すればよい。尚、このときスイッチ手段４ａとスイッチ手段４ｄはオフされており、第１の電流通路は遮断されており、第１の補正手段１への電流通路は遮断されている。
【００３０】
また、磁界発生コイル３の正方向（図面向かって右方向）の電流ａの過渡応答と、負方向（図面向かって左方向）の電流ｂの過渡応答とがもし同一であれば、抵抗Ｒ１と抵抗Ｒ２を等しい値に、コンデンサＣ１とコンデンサＣ２も等しい値に設定すればよい。
【００３１】
なお、第１の補正手段１あるいは第２の補正手段２を磁界発生コイル３と並列に、あるいは直列に隣接させると、第１の電流通路及び第２の電流通路の両方の通路上となり、電流反転時の余分な共振を引き起こすため好ましくない。これは反転時間よりも長い過渡応答に時定数を設定するため、従来例１とは異なり電流の立ち上がりを速くするための共振を得ることができないからである。したがって、余分な共振を起こさないように、第１の補正手段１は第１の電流通路上であって第２の電流通路上ではなく、正方向の電流のみ流れ、負方向の電流は流れないように配置した方がよい。同様に第２の補正手段２は第２の電流通路上であって第１の電流通路上ではなく、負方向の電流のみ流れ、正方向の電流は流れないように配置した方が良い。回路図上では、スイッチ手段４ａと４ｂによって、第１の補正手段１および２をそれぞれ磁界発生コイル３と遮断できるため、共振を防ぐことができる構成となっている。このように配置したほうが、磁界発生コイル３との共振を生じる事なく、過渡応答のみを低減させることが可能となる。
【００３２】
また、上記と同様な位置へ従来例２と同様な負荷の切り替え手段を設け、情報信号にしたがって負荷を切り替えても、回路構成上第１の電流通路は情報信号による完全なオンまたはオフのスイッチング動作であるため、情報信号に基づいて負荷の切り替えをおこなっても片方の負荷は無意味となり、過渡応答を軽減する手段とはならない。したがって、情報信号に基づいた負荷の切り替えではなく、過渡応答を打ち消すための伝達関数を有した手段でなくてはならない。
【００３３】
さて、図３はＥＦＭ変調におけるの実際の駆動電流波形を、さまざまなデータパターンについてディジタルオシロスコープ上で重ねて示した図である。図３において、電流が立ち上がった後の振幅は従来の図７の振幅に比べて非常に安定となることが確認できる。図４はデータ転送レートを２倍に上げたときの波形である。さらに反転間隔が短くなったにもかかわらず、従来の図１０の振幅に比べて極めてに安定となり、同様に本発明の第１の効果が確認できる。
【００３４】
また、このときの磁界発生コイルは従来のものに比べてインダクタンスを大きくして発生磁界強度を増加させたもの（１００Ｏｅ以上）であり、たとえインダクタンスが大きくなっても、これに合わせて補正手段の定数を変更するだけで電流振幅を安定化するできるという第２の効果がある。
【００３５】
本発明では上記２つの効果以外に、さらに以下の２つの効果を付加できる。第３の効果として、回路全体の消費電力を大きく低減できるという効果がある。まず発生磁界の条件として、記録パターンの中でもっとも記録電流振幅が小さくなる最高記録周波数の振幅を、記録に必要な最低磁界とする必要がある。図１１における従来の波形と、図４における本発明の波形における消費電力を比較するために、この最高記録周波数の振幅を同一にすると、図１１の従来の波形では過渡応答のためにそれ以外の周波数の電流振幅が増加し、余分な電流を供給しているのに対して、図４における本発明の波形では過渡応答を低減できるためすべての周波数の電流振幅が等しくなり、効率よく電流を供給する事ができるのがわかる。
【００３６】
例えば、巻線の直径９０μｍ、ターン数４８で作製した高磁界発生用の高インダクタンスの磁界発生コイル３について、従来の記録装置と本発明の記録装置で比較すると、同一の記録電流振幅０．３７Ａp-p（発生磁界１００Ｏｅ）を発生させるために従来は０．７３Ｗの電力を消費していたが、本発明では０．４９Ｗとなり、３割も消費電力を低減できた。
【００３７】
第４の効果として、磁界発生コイル３の発熱を大きく低減できるという効果がある。磁界発生コイルの発熱は、電流の実効値に大きく依存する。実効値が小さければ小さいほど発熱を抑える事ができ、熱に弱い微小形状の磁界発生コイルや、光磁気記録媒体のプラスチック基板の熱損傷を防ぐことができる。図１１における従来の波形と、図４における本発明の波形において、同様に最高記録周波数の振幅を同一にすると、図１１の従来の波形では過渡応答のためにそれ以外の周波数の電流振幅が大きくなり、発熱が増加するのに対して、図４における本発明の波形では過渡応答を低減できるためすべての周波数の電流振幅が等しくなり、発熱を低減できるのがわかる。
【００３８】
例えば、上記と同一の高磁界発生用の高インダクタンスの磁界発生コイル３（耐熱１３０゜Ｃ）について、同一の記録電流振幅（０．４Ａp-p）を発生させると従来は磁気コアの温度が１８５゜Ｃ、巻線の温度が１９５゜Ｃとなり、耐熱を越えるため長時間連続記録の場合に磁界発生コイル３を損傷させ、光磁気記録媒体のプラスチック基板の熱損傷も招いていたが、本発明では磁気コアの温度が１００゜Ｃ、巻線の温度が１１０゜Ｃとなり、耐熱温度内に抑えることができ、長時間連続記録の場合も熱に弱い磁界発生コイルの損傷や光磁気記録媒体のプラスチック基板の熱損傷も防止することが可能である。
【００３９】
また、一般によく知られている磁気ディスク装置（ハードディスク装置）は、光磁気ディスク装置に比べて、磁気ヘッドと記録媒体の間隔が非常に小さいため、インダクタンスや駆動電流も非常に小さくてよく、消費電力も小さい。これとは異なり本発明は、高い発生磁界を必要とする光磁気ディスク等において効果があり、しかも高速転送を行う装置、あるいは連続記録時間の長い装置において大きな効果を得ることができる。
【００４０】
なお、図２における第１の補正手段１、第２の補正手段２を最も簡単な構成で実現するために抵抗とコンデンサで構成したハイパスフィルターとしたが、より正確な過渡応答の補正を行うために、ＦＥＴやダイオードなどの交流特性も考慮したフィルタで置き換えてもよい。
【００４１】
また、本願の構成に加えて、従来例と同様に磁界発生コイル３と並列にコンデンサを配置し、電流の立ち上がり部分を速くすることも可能である。なぜなら、補正手段１および２をスイッチ手段４ａと４ｂによって磁界発生コイルから遮断しているため、磁界発生コイル３と並列に接続するコンデンサのみによって共振を発生させることができるためである。
【００４２】
次に、本発明の第２の実施例について以下に説明する。図５は、本発明の実施例２を示した図である。情報信号ｃをスイッチ手段４ａとスイッチ手段４ｄとインバータ４ｅに入力し、情報信号ｃを反転した信号ｄをスイッチ手段４ｃとスイッチ手段４ｂに入力する。これらスイッチ手段４ａ、４ｂ、４ｃ、４ｄとインバータ４ｅで構成されたスイッチ手段は、駆動電流を正方向または負方向に切り替えるスイッチ手段である。
【００４３】
まず情報信号ｃによってスイッチ手段４ａとスイッチ手段４ｄがオンされると、電源５からは実線で示す第１の電流通路に沿って電流ａがスイッチ手段４ａを通して磁界発生コイル３の正方向の電流となり、スイッチ手段４ｄと第１の補正手段１通って流れる。補正手段１は前記第１の電流通路上に設けており、磁界発生コイル３によって生じる正方向の電流振幅の過渡応答を補正できる。尚、このときスイッチ手段４ｂとスイッチ手段４ｃはインバータ４ｅによってオフされており、第２の電流通路は遮断されている。
【００４４】
逆にスイッチ手段４ｃとスイッチ手段４ｂがオンされると、電源５からは破線で示す第２の電流通路に沿って電流ｂがとスイッチ手段４ｂを通して磁界発生コイル３の負方向の電流となり、スイッチ手段４ｃと第２の補正手段２を通って流れる。補正手段２は前記第２の電流通路上に設けており、磁界発生コイル３によって生じる負方向の電流振幅の過渡応答を補正できる。尚、このときスイッチ手段４ａとスイッチ手段４ｄはインバータ４ｅによってオフされており、第１の電流通路は遮断されている。
【００４５】
その他は実施例１と同様であるため、詳細な説明は省略する。
【００４６】
本発明の第３の実施例について以下に説明する。図６は、本発明の実施例３を示した図である。情報信号ｃをスイッチ手段４ａとスイッチ手段４ｄとインバータ４ｅに入力し、情報信号ｃを反転した信号ｄをスイッチ手段４ｃとスイッチ手段４ｂに入力する。これらスイッチ手段４ａ、４ｂ、４ｃ、４ｄとインバータ４ｅで構成されたスイッチ手段は、駆動電流を正方向または負方向に切り替えるスイッチ手段である。
【００４７】
まず情報信号ｃによってスイッチ手段４ａとスイッチ手段４ｄがオンされると、電源５からは実線で示す第１の電流通路に沿って電流ａがスイッチ手段４ａと補正手段７を通して磁界発生コイル３の正方向の電流となり、スイッチ手段４ｄを通って流れる。尚、このときスイッチ手段４ｂとスイッチ手段４ｃはインバータ４ｅによってオフされており、第２の電流通路は遮断されている。
【００４８】
逆にスイッチ手段４ｃとスイッチ手段４ｂがオンされると、電源５からは破線で示す第２の電流通路に沿って電流ｂがとスイッチ手段４ｂを通して磁界発生コイル３の負方向の電流となり、補正手段７とスイッチ手段４ｃを通って流れる。尚、このときスイッチ手段４ａとスイッチ手段４ｄはインバータ４ｅによってオフされており、第１の電流通路は遮断されている。
【００４９】
補正手段７は前記第１の電流通路と第２の電流通路が重複する通路上に設けており、磁界発生コイル３によって生じる正方向と負方向の電流振幅の過渡応答を補正できる。
【００５０】
図７は図６を詳細に説明する図であり、具体的な回路例を示す図である。情報信号ｃをドライバ６ａを介してスイッチ手段４ａと、ドライバ６ｄを介してスイッチ手段４ｄと、インバータ４ｅに入力し、情報信号ｃを反転した信号ｄをドライバ６ｂを介してスイッチ手段４ｂと、ドライバ６ｃを介してスイッチ手段４ｃに入力する。これらスイッチ手段４ａ、４ｂ、４ｃ、４ｄと、ドライバ６ａ、６ｂ、６ｃ、６ｄとインバータ４ｅとで構成されたスイッチ手段は、駆動電流を正方向または負方向に切り替えるスイッチ手段である。スイッチ手段４ａはＦＥＴ（電界効果トランジスタ）Ｑ１で代用し、スイッチ手段４ｂは同様にＱ２で代用し、スイッチ手段４ｃは同様にＱ３で代用し、スイッチ手段４ｄは同様にＱ４で代用する。
【００５１】
まず情報信号ｃによってスイッチ手段４ａ（ＦＥＴＱ１）とスイッチ手段４ｄ（ＦＥＴＱ４）がオンされると、電源５から第１の電流通路に沿って正方向の電流がスイッチ手段４ａ、ダイオードｄ１、補正手段７を通して磁界発生コイル３の正方向の電流通路となり、スイッチ手段４ｄを通ってグランドへ流れる。尚、このときスイッチ手段４ｂとスイッチ手段４ｃはインバータ４ｅによってオフされており、第２の電流通路は遮断されている。
【００５２】
逆に情報信号を反転した信号ｄによってスイッチ手段４ｃ（ＦＥＴＱ３）とスイッチ手段４ｂ（ＦＥＴＱ２）がオンされると、電源５から第２の電流通路に沿って負方向の電流がスイッチ手段４ｂ、ダイオードｄ２を通して磁界発生コイル３の負方向の電流となり、補正手段７とスイッチ手段４ｃを通ってグランドへ流れる。尚、このときスイッチ手段４ａとスイッチ手段４ｄはオフされており、第１の電流通路は遮断されている。
【００５３】
従来例１において、回路構成により発生する直流電流分を除去するために磁界発生コイル３に直列にコンデンサのみを接続しているのに対して、この実施例では低周波の電流を制限して通過させるために抵抗Ｒ３を並列に接続している点が異なる。したがって、従来例１の方法では、低周波の電流を制限して通過させ、過渡応答を低減することは困難である。
【００５４】
補正手段７は抵抗Ｒ３とコンデンサＣ３を並列に接続した構成であるため、磁界発生コイル３によって生じる正方向及び負方向の電流振幅の過渡応答を補正できる。抵抗Ｒ３とコンデンサＣ３によるフィルターの時定数τRC1をこの過渡応答時間τlに近い値に設定すればよい。したがって時定数τRC1は電流の反転時間よりも十分に長いため、従来例１における反転時間未満の共振への影響は小さくできる。この実施例の長所は、実施例１および２における補正手段１及び２を兼用した一つの補正手段７により代用し、一つの抵抗とコンデンサで簡単に構成できる点である。逆に短所として、補正手段７を磁界発生コイル３と隣接して配置するため、第１の電流通路及び第２の電流通路の両方の通路上となり、電流反転時の余分な共振を引き起こす点が好ましくない。つまり共振と完全に切り離して、過渡応答を低減することが困難であるため、実施例１または実施例２に比べて性能が劣る点である。
【００５５】
また、この例は磁界発生コイル３の正方向（図面向かって右方向）の電流ａの過渡応答と、負方向（図面向かって左方向）の電流ｂの過渡応答が同一である場合に限定される。したがって、ダイオードやＦＥＴのばらつきによって発生する電流振幅の違いや、正方向と不方向の過渡応答の違いを除去することは困難である。
【００５６】
その他は実施例１と同様であるため、詳細な説明は省略する。
【００５７】
本発明の第４の実施例について以下に説明する。図８は、本発明の実施例４を示した図である。補正手段１、２及び７は抵抗Ｒ４、Ｒ５とコンデンサＣ４により構成される。上述の補正手段に比べて、コンデンサＣ４に直列に抵抗Ｒ４を付加した構成であり、磁界発生コイル３によって生じる正方向及び負方向の電流振幅の過渡応答を補正するとともに、抵抗Ｒ４によって電流振幅を調整することが可能である。
【００５８】
その他は上述の実施例と同様であるため、詳細な説明は省略する。
【００５９】
【発明の効果】
請求項１によれば、磁界発生コイルによって生じる正方向の電流振幅の過渡応答と負方向の電流振幅の過渡応答を補正手段で補正するため、データ転送レートを高めるために電流の反転時間が短くなっても、過渡応答を低減でき、電流振幅を一定に保つことが可能となる。さらに磁界発生コイルのインダクタンスを大きくする場合でも、過渡応答を低減でき電流の振幅を一定に保つことができる。したがって、記録マークの大きさをそろえることができるため、高速転送を行うことが可能となり、またインダクタンスを大きくできるため発生磁界を大きくでき、記録データを正確に記録できるという効果がある。
【００６０】
請求項２によれば、磁界発生コイルによって生じる正方向の電流振幅の過渡応答を第１の補正手段によって補正し、前記磁界発生コイルによって生じる負方向の電流振幅の過渡応答を第２の補正手段で補正するため、データ転送レートを高めるために電流の反転時間が短くなっても、過渡応答を低減でき電流振幅を一定に保つことが可能となる。さらに磁界発生コイルのインダクタンスを大きくする場合でも、過渡応答を低減でき電流の振幅を一定に保つことができる。したがって、記録マークの大きさをそろえることができるため、高速転送を行うことが可能となり、またインダクタンスを大きくできるため発生磁界を大きくでき、記録データを正確に記録できるという効果がある。
【００６１】
請求項３によれば、磁界発生コイルとの共振が生じないため、電流の立ち上がりに支障を与えることなく過渡応答を低減することが可能である。また、共振を利用して立ち上がり速くする従来の構成と独立に設けることもでき、それぞれの効果を個別に、あるいは同時に利用することができるという効果がある。
【００６２】
請求項４によれば、第１の補正手段と第２の補正手段を同一の特性にできるため、回路設計を簡単にすることができるという効果がある。
【００６３】
請求項５によれば第１の補正手段と第２の補正手段を共に簡単なハイパスフィルターにできるため、回路構成を簡単にすることができるという効果がある。
【００６４】
請求項６によれば第１の補正手段と第２の補正手段を共に抵抗とコンデンサで構成した最も簡単なハイパスフィルターにできるため、回路構成を最も簡単にすることができるという効果がある。
【００６５】
請求項７によれば正方向の電流振幅の過渡応答を補正する第１の補正手段と、負方向の電流振幅の過渡応答を補正する第２の補正手段を一つの補正手段で兼用できるため、回路構成を簡単にすることができるという効果がある。
【００６６】
請求項８によれば補正手段を抵抗とコンデンサで構成した最も簡単なハイパスフィルターにできるため、回路構成を最も簡単にすることができるという効果がある。
【図面の簡単な説明】
【図１】本発明の第１の実施例における光磁気記録装置を示す図である。
【図２】図１における光磁気記録装置を詳細に説明する図である。
【図３】図２における波形を示す図である。
【図４】図２における高速転送時の波形を示す図である。
【図５】本発明の第２の実施例における光磁気記録装置を示す図である。
【図６】本発明の第３の実施例における光磁気記録装置を示す図である。
【図７】図１における光磁気記録装置を詳細に説明する図である。
【図８】本発明の第４の実施例における補正手段を示す図である。
【図９】従来の光磁気記録装置を示す図である。
【図１０】図９における波形を示す図である。
【図１１】図９における高速転送時の波形を示す図である。
【符号の説明】
１  第１の補正回路
２  第２の補正回路
３  磁界発生コイル
４ａ  スイッチ手段
４ｂ  スイッチ手段
４ｃ  スイッチ手段
４ｄ  スイッチ手段
４ｅ  インバータ
５  電源
【図１】
0003659988.tif 000002
【図２】
0003659988.tif 000003
【図３】
0003659988.tif 000004
【図４】
0003659988.tif 000005
【図５】
0003659988.tif 000006
【図６】
0003659988.tif 000007
【図７】
0003659988.tif 000008
【図８】
0003659988.tif 000009
【図９】
0003659988.tif 000010
【図１０】
0003659988.tif 000011
【図１１】
0003659988.tif 000012